(57)【要約】【課題】  その目的とするところは意匠性に優れ、潜像の視認性に優れ、偽造防止及び不正コピー防止に優れる賦形カードの製造方法及び賦形カードを提供することにある。【解決手段】  シート基材の表面に担持層を備えた賦形シートの表面形状をカード本体の表出面に熱転写することにより、微細凹凸からなる賦形層を形成する賦形カードの製造方法であって、賦形シートの担持層は、紫外線硬化型インキをパターン印刷することにより下刷り層が形成され、さらにフレキソ印刷法により紫外線硬化型のコート剤を塗布することにより表面層が形成された構成からなり、下刷り層が、表面層の紫外線硬化型のコート剤を塗布したとき、コート剤をはじき、微細凹凸模様が形成され、下刷り層が形成されていない表面層の表面が艶部に形成されていることを特徴とする賦形カードの製造方法である。【選択図】        図１
2019084719.tif 000002
【特許請求の範囲】
【請求項１】
シート基材の表面に担持層を備えた賦形シートの表面形状をカード本体の表出面に熱転写することにより、前記カード本体の表出面に微細凹凸からなる賦形層を形成する賦形カードの製造方法であって、
前記賦形シートの前記担持層は、紫外線硬化型インキをパターン印刷することにより下刷り層が形成され、さらにフレキソ印刷法により紫外線硬化型のコート剤を塗布することにより表面層が形成された構成からなり、
前記下刷り層が、前記表面層の紫外線硬化型の前記コート剤を塗布したとき、前記コート剤をはじき、微細凹凸模様が形成され、前記下刷り層が形成されていない前記表面層の表面が艶部に形成されていることを特徴とする賦形カードの製造方法。
【請求項２】
シート基材の表面に艶部と微細凹凸部を交互に備えた万線からなる担持層を備えた賦形シートの表面形状をカード本体の表出面に賦形した賦形カードであって、
前記カード本体の上に前記艶部と前記微細凹凸部を交互に備えた万線からなる賦形層を備え、
前記賦形層の平面構造は、前記カード本体の上に前記艶部からなる線と前記微細凹凸部からなる線を交互に備えた第一の万線からなる潜像部と、前記潜像部の周辺の前記艶部からなる線と前記微細凹凸部からなる線を交互に備えた第二の万線からなる周辺部とからなり、
前記第一の万線と前記第二の万線は万線の傾き角度が異なっていることを特徴とする賦形カード。
【請求項３】
前記賦形シートの前記シート基材は、プラスチックシートからなり、
前記賦形シートの平面構造は、前記シート基材の上に備える前記担持層が、前記艶部からなる線と前記微細凹凸部からなる線を交互に備えた前記第一の万線からなる前記潜像部と、前記潜像部の周辺の前記艶部からなる線と前記微細凹凸部からなる線を交互に備えた前記第二の万線からなる前記周辺部とからなり、
前記第一の万線と前記第二の万線は万線の傾き角度が異なっており、
前記賦形シートの断面構造は、前記シート基材の上に前記担持層を備え、
前記担持層が、万線で形成された下刷り層と、前記シート基材の上に形成された表面層を備え、前記下刷り層が前記表面層をはじく層であり、前記下刷り層の上が前記微細凹凸部であり、前記下刷り層が形成されていない前記表面層の表面が前記艶部であることを特徴とする請求項２に記載の賦形カード。
【発明の詳細な説明】
【技術分野】
【０００１】
本発明は、シート基材の表面に担持層を備えた賦形シートの表面形状をカード本体の表出面に形成する賦形カードの製造方法及びシート基材の表面に艶部と微細凹凸部を交互に備えた万線からなる担持層を備えた賦形シートの表面形状をカード本体の表出面に賦形した意匠性及び偽造防止性に優れた賦形カードに関する。
【背景技術】
【０００２】
従来、偽造防止のために表面にエンボスを施したカードが広く知られている。例えば、エンボス可能な二軸延伸ポリエステルフィルムからなる基材の片面に凹凸の深さが基材の厚みより小さいエンボスを設けるとともに、基材の他面に略全面にわたり磁気記録層となる磁性体コーティング層を設けた偽造防止磁気カードが知られている（例えば、特許文献１参照）。
【０００３】
しかしながら、特許文献１の偽造防止磁気カードは、表面の凹凸がカードの全面に形成されているものであり部分的に形成されて絵柄を形成しているものではないために優れた意匠性が得られないという欠点や、表面に所定形状のエンボスが彫刻された加熱ロールを使用してエンボスを形成するものであり、エンボス型を変更するとき、多額の費用がかかるために容易にエンボス型の変更ができないという欠点がある。
【０００４】
一方、偽造防止のために万線で形成した潜像を顕像化させる技術も知られている。例えば、潜像部分と潜像の周辺部分とで万線のピッチ等を変えて形成し、潜像部分と同じピッチの万線を有する判別用フィルムを潜像の上に被せることにより、潜像を顕像化させて視認可能とするものがある。
【０００５】
万線を使用する方法は、スミ等の濃色で万線を印刷し、コントラストをよくするため、一見すると印刷領域内に濃色のベタ領域が存在するように錯覚するため、印刷物の意匠性を損なうという問題があった。そこで、意匠性を向上させるために印刷物を多色カラー印刷とし、そのうちの特定の１版のスクリーンの角度を他の版と異なるようにして潜像を構成する方法が知られている（例えば、特許文献２参照）。
【０００６】
しかしながら、特許文献２に開示された技術では、特定の１版は実質的に視認性の低い黄色版に限定されることになり、意匠性の自由度が低いという問題がある。
【先行技術文献】
【特許文献】
【０００７】
【特許文献１】実用新案登録公報第２５４１９１７号
【特許文献２】特開２００４−２３０５７２号公報
【発明の概要】
【発明が解決しようとする課題】
【０００８】
そこで本発明は、上記問題を解決すべくなされたものであり、その目的とするところは意匠性に優れ、潜像の視認性に優れ、偽造防止及び不正コピー防止に優れる賦形カードの製造方法及び賦形カードを提供することにある。
【課題を解決するための手段】
【０００９】
本発明は、上記課題を達成するためになされたものであり、請求項１記載の本発明は、シート基材の表面に担持層を備えた賦形シートの表面形状をカード本体の表出面に熱転写することにより、前記カード本体の表出面に微細凹凸からなる賦形層を形成する賦形カードの製造方法であって、前記賦形シートの前記担持層は、紫外線硬化型インキをパターン印刷することにより下刷り層が形成され、さらにフレキソ印刷法により紫外線硬化型のコート剤を塗布することにより表面層が形成された構成からなり、前記下刷り層が、前記表面層の紫外線硬化型の前記コート剤を塗布したとき、前記コート剤をはじき、微細凹凸模様が形成され、前記下刷り層が形成されていない前記表面層の表面が艶部に形成されていることを特徴とする賦形カードの製造方法である。
【００１０】
また、請求項２に記載の本発明は、シート基材の表面に艶部と微細凹凸部を交互に備えた万線からなる担持層を備えた賦形シートの表面形状をカード本体の表出面に賦形した賦形カードであって、前記カード本体の上に前記艶部と前記微細凹凸部を交互に備えた万線からなる賦形層を備え、前記賦形層の平面構造は、前記カード本体の上に前記艶部からなる線と前記微細凹凸部からなる線を交互に備えた第一の万線からなる潜像部と、前記潜像部の周辺の前記艶部からなる線と前記微細凹凸部からなる線を交互に備えた第二の万線からなる周辺部とからなり、前記第一の万線と前記第二の万線は万線の傾き角度が異なっていることを特徴とする賦形カードである。
【００１１】
また、請求項３に記載の本発明は、請求項２に記載の賦形カードにおいて、前記賦形シートの前記シート基材は、プラスチックシートからなり、前記賦形シートの平面構造は、前記シート基材の上に備える担持層が、前記艶部からなる線と前記微細凹凸部からなる線を交互に備えた前記第一の万線からなる前記潜像部と、前記潜像部の周辺の前記艶部からなる線と前記微細凹凸部からなる線を交互に備えた前記第二の万線からなる前記周辺部とからなり、前記第一の万線と前記第二の万線は万線の傾き角度が異なっており、前記賦形シートの断面構造は、前記シート基材の上に前記担持層を備え、前記担持層が、万線で形成された下刷り層と、前記シート基材の上に形成された表面層を備え、前記下刷り層が前記表面層をはじく層であり、前記下刷り層の上が前記微細凹凸部であり、前記下刷り層が形成されていない前記表面層の表面が前記艶部であることを特徴とするものである。
【発明の効果】
【００１２】
本発明の賦形カードの製造方法及び賦形カードは、意匠性に優れ、潜像の視認性に優れ、偽造防止及び不正コピー防止に優れる。
【図面の簡単な説明】
【００１３】
【図１】本発明に係る賦形カードの一実施形態を示し、（イ）は斜視図、（ロ）は賦形カードの潜像部と周辺部の境界部分を部分拡大した説明図である。
【図２】本発明に係る賦形カードの断面構造を示す説明図である。
【図３】本発明に係る賦形カードに用いる賦形シートの平面図である。
【図４】賦形シートの断面構造を示す説明図である。
【図５】本発明に係る賦形カードの製造方法の一例を示す説明図である。
【発明を実施するための形態】
【００１４】
上記の本発明について、図面等を用いて以下に詳述する。
図１は本発明に係る賦形カードの一実施形態を示し、（イ）は斜視図、（ロ）は賦形カードの潜像部と周辺部の境界部分を部分拡大した説明図、図２は本発明に係る賦形カードの断面構造を示す説明図、図３は本発明に係る賦形カードに用いる賦形シートの平面図、図４は賦形シートの断面構造を示す説明図、図５は本発明に係る賦形カードの製造方法の一例を示す説明図であり、図中の１０は賦形シート、１１はシート基材、１２は担持層、１３は下刷り層、１４は表面層、２０は賦形カード、２１はカード本体、２１ａはコア層、２１ｂはオーバーシート層、２２は賦形層、３１、４１は艶部、３２、４２は微細凹凸部、３３、４３は第一の万線、３４、４４は潜像部、３５、４５は第二の万線、３６、４６は周辺部、αは第一の万線の傾き角度、βは第二の万線の傾き角度、γは第一の万線と第二の万線が成す挟角、ｗ１は第一の万線の艶部からなる線の幅、ｗ２は第一の万線の微細凹凸部からなる線の幅、ｗ３は第二の万線の艶部からなる線の幅、ｗ４は第二の万線の微細凹凸部からなる線の幅をそれぞれ示す。
【００１５】
本発明の一実施形態の賦形カード２０は、図１、図２に示す通りである。図１に示すように本発明の賦形カード２０は後述する賦形シート１０（図３参照）の表面形状をカード本体２１の表出面に賦形することにより形成された賦形層２２を有する。図１（イ）は賦形層２２の面から見た賦形カード２０の斜視図であり、賦形カード２０の表面に形成された賦形層２２はカード本体２１の上に艶部４１と微細凹凸部４２を交互に備えた万線からなる賦形層２２を備えている。賦形層２２の平面構造は、図１（イ）、図１（ロ）に示すようにカード本体２１の上に艶部４１からなる線と微細凹凸部４２からなる線を交互に備えた第一の万線４３からなる潜像部４４と、潜像部４４の周辺の艶部４１からなる線と微細凹凸部４２からなる線を交互に備えた第二の万線４５からなる周辺部４６とから構成されている。図１（イ）に示すように潜像部４４にはＤＮＰのアルファベット文字が表示され、一見するだけでは視認が困難な潜像とされている。潜像部４４は、アルファベットに限定されるものではなく、数字、文字、記号、イラスト、シルエット等の図柄、あるいはこれらの２種以上組み合わせて潜像としてもよい。本発明の賦形カード２０はキャッシュカード、ポイントカード、クレジットカード、ＩＤカード等のカード類に用いることができ、潜像を形成することにより偽造防止、不正コピー防止などの効果があり、潜像は用途に応じて決定される。
さらに、潜像部４４及び周辺部４６が艶部４１からなる線と微細凹凸部４２からなる線を交互に備えた万線を備えることにより優れた意匠性が得られる。潜像部４４は周辺部４６で囲まれた例を示したが、賦形カード２０の外周に接して配置することもできる。後述するが潜像を顕像化させるとき、潜像部４４が周辺部４６で囲まれている方が、より明確に顕像化できるので好ましい。また、図１（ロ）に示すように潜像部４４と周辺部４６の境界は隣接していることが好ましい。
【００１６】
賦形カード２０は、図１（ロ）に示すように潜像部４４を構成する第一の万線４３と周辺部４６を構成する第二の万線４５は万線の傾き角度が異なっていることが重要であり、水平線に対して成す第一の万線の傾き角度αと水平線に対して成す第二の万線の傾き角度βが異なっている。第一の万線の傾き角度αは鈍角であり、第二の万線の傾き角度βは鋭角であり、それぞれの万線は潜像部４４と周辺部４６の境界で隣接し、隣接することにより第一の万線４３と第二の万線４５が成す挟角はγであることを示している。また、図１（ロ）に示すｗ１は潜像部４４の第一の万線４３の艶部４１からなる線の幅、ｗ２は第一の万線４３の微細凹凸部４２からなる線の幅を示す。同様にｗ３は周辺部４６の第二の万線４５の艶部４１からなる線の幅、ｗ４は第二の万線４５の微細凹凸部４２からなる線の幅を示す。
【００１７】
第一の万線の傾き角度αは９０°以上が好ましく、第二の万線の傾き角度βは９０°以下が好ましい。また、第一の万線の傾き角度αを９０°以下とし、第二の万線の傾き角度βは９０°以上にしてもよい。そうすることにより、顕像化したとき、潜像がより鮮明にすることができる。第一の万線の傾き角度αを１３５°、第二の万線の傾き角度βを４５°とするか、または、第一の万線の傾き角度αを４５°、第二の万線の傾き角度βを１３５°とすることがより好ましい。すなわち、第一の万線と第二の万線が成す挟角γを９０°とすることがより好ましく、潜像を賦形カード２０の見る角度を変えて視認できたとき、より一層、潜像がより鮮明に顕像化される。第一の万線の艶部からなる線の幅ｗ１、第一の万線の微細凹凸部からなる線の幅ｗ２、第二の万線の艶部からなる線の幅ｗ３及び第二の万線の微細凹凸部からなる線の幅ｗ４は０．０５〜０．３ｍｍが好ましい。０，０５ｍｍ未満では艶部４１と微細凹凸部４２の光沢差が十分に得られず潜像が不鮮明となる。０，３ｍｍを超えると潜像が見えることがあるので十分な偽造防止効果が得られない。さらに第一の万線４３の艶部４１及び微細凹凸部４２の繰り返しピッチ、及び第二の万線４５の艶部４１及び微細凹凸部４２の繰り返しピッチは同じにすることが好ましい。
【００１８】
賦形カード２０の断面構造は、図２に示すように、カード本体２１は、コア層２１ａの両面にオーバーシート層２１ｂがそれぞれ積層された構成からなり、一方のオーバーシート層２１ｂの表出面に艶部４１と微細凹凸部４２を交互に備えた万線からなる賦形層２２を備えている。オーバーシート層２１ｂのコア層２１ａと対向する側には必要に応じて例えば、オフセット印刷により文字、数字、記号、図柄などの印刷層（図示しない。）が設けられる。カード本体２１はコア層２１ａの単層としてもよく、２層以上の多層にすることもできる。カード本体２１を構成するコア層２１ａ、オーバーシート層２１ｂはプラスチックシートが好ましく、プラスチックシートに使用できる樹脂としては、剛性があり強度的に優れた熱可塑性樹脂であれば特に限定されないが、ポリ塩化ビニル、ポリエチレンテレフタレート、ポリブチレンテレフタレート、ＰＥＴ−Ｇ等の共重合ポリエステル樹脂、ＡＢＳ樹脂等が使用できる。オーバーシート層２１ｂは透明性のプラスチックシートが使用され、コア層２１ａは白色に着色したもの乃至は白色に着色したものにベタ印刷されたものが通常使用される。また、キャッシュカード等の用途の場合には所定位置にストライプ状の磁気層やＩＣチップが設けられる。
【００１９】
つぎに本発明の賦形カード２０に賦形層２２を形成するための賦形シート１０について説明する。図３は賦形シート１０の一実施形態を示し、（イ）は平面図、（ロ）は潜像部３４と周辺部３６の境界部分を部分拡大したものである。本発明の賦形カード２０の賦形層２２を形成するために用いる賦形シート１０は、図３に示すようにシート基材１１の表面に艶部３１と微細凹凸部３２を交互に備えた万線からなる担持層１２を備えている。
【００２０】
図３に示すように賦形シート１０の平面構造は、シート基材１１の上に備える担持層１２が、艶部３１からなる線と微細凹凸部３２からなる線を交互に備えた第一の万線３３からなる潜像部３４と、潜像部３４の周辺の艶部３１からなる線と微細凹凸部３２からなる線を交互に備えた第二の万線３５からなる周辺部３６とからなる。図３には潜像部３４にはＤＮＰのアルファベットが表示され、一見するだけでは視認が困難な潜像とされている。潜像部３４は、アルファベットに限定されるものではなく、数字、文字、記号、イラスト、シルエット等の図柄を潜像としてもよい。また、図３（ロ）に示すように潜像部３４と周辺部３６の境界は潜像部３４と周辺部３６が隣接していることが好ましい。
【００２１】
賦形シート１０は、潜像部３４を形成する第一の万線３３と周辺部３６を形成する第二の万線３５は、万線の傾き角度が異なっており、図３（ロ）に示すように水平線に対して成す第一の万線の傾き角度αと水平線に対して成す第二の万線の傾き角度βが異なっている。第一の万線の傾き角度αは鈍角であり、第二の万線の傾き角度βは鋭角であり、それぞれの万線は潜像部３４と周辺部３６の境界で隣接し、隣接することにより第一の万線３３と第二の万線３５が成す挟角はγであることを示している。また、図３（ロ）に示すｗ１は潜像部３４の第一の万線３３の艶部３１からなる線の幅、ｗ２は第一の万線３３の微細凹凸部３２からなる線の幅を示す。同様にｗ３は周辺部３６の第二の万線３５の艶部３１からなる線の幅、ｗ４は第二の万線３５の微細凹凸部３２からなる線の幅を示す。
【００２２】
第一の万線の傾き角度αは９０°以上が好ましく、第二の万線の傾き角度βは９０°以下が好ましい。また、第一の万線の傾き角度αを９０°以下とし、第二の万線の傾き角度βは９０°以上にしてもよい。そうすることにより、顕像化したとき、潜像がより鮮明にすることができる。第一の万線の傾き角度αを１３５°、第二の万線の傾き角度βを４５°とするか、または、第一の万線の傾き角度αを４５°、第二の万線の傾き角度βを１３５°とすることがより好ましい。すなわち、第一の万線と第二の万線が成す挟角γが９０°とすることがより好ましく、潜像を賦形シート１０の見る角度を変えて視認できたとき、より一層、潜像がより鮮明に顕像化される。第一の万線の艶部からなる線の幅ｗ１、第一の万線の微細凹凸部からなる線の幅ｗ２、第二の万線の艶部からなる線の幅ｗ３及び第二の万線の微細凹凸部からなる線の幅ｗ４は０．０５〜０．３ｍｍが好ましい。０，０５ｍｍ未満では艶部３１と微細凹凸部３２の光沢差が十分に得られず潜像が不鮮明となる。０，３ｍｍを超えると潜像が見えることがあるので十分な偽造防止効果が得られない。さらに第一の万線３３の艶部３１及び微細凹凸部３２の繰り返しピッチ、及び第二の万線３５の艶部３１及び微細凹凸部３２の繰り返しピッチは同じにすることが好ましく、潜像部３４と周辺部３６の境界において潜像部３４と周辺部３６が隣接していることが好ましい。
【００２３】
賦形シート１０の断面構造は、図４（イ）に示すように、シート基材１１の上に例えばオフセット印刷により下刷り層１３が万線で設けられ、さらに、シート基材１１および下刷り層１３の表面上に例えばコーティングにより表面層１４が設けられている。このとき、図４（ロ）に示すように、下刷り層１３が形成されている部分では、下刷り層１３が表面層１４をはじくのでその上の表面層１４を形成するためのコート剤がはじかれることにより、下刷り層１３の上が微細凹凸部３２となり、一方、下刷り層１３が形成されていない部分では、表面層１４を形成するためのコート剤がはじかれることなく艶部３１となっている。担持層１２は艶部３１を形成する表面層１４と微細凹凸部３２を形成する下刷り層１３及び下刷り層１３によりはじかれた表面層１４で構成される。つまり、シート基材１１の上に担持層１２を備える。担持層１２は透明、半透明、あるいは着色されていてもよい。
【００２４】
賦形シート１０のシート基材１１としては耐熱性のあるプラスチックフィルムが好ましい。プラスチックフィルムの樹脂としては、ポリエチレンテレフタレート、ポリブチレンテレフタレート、ポリカーボネート等が挙げられるが、経済性、作業性などからポリエチレンテレフタレートが好ましい。
プラスチックフィルムの厚さとしては５０μｍ〜３００μｍ程度である。
なお、シート基材１１に紙を用いることもできるが熱転写作業における賦形シート１０の耐久性を考慮するとプラスチックフィルムが好ましい。
【００２５】
つぎに一実施形態の賦形カード２０の製造方法について説明する。
（１）賦形シートの作製
まず、シート基材１１の表面に紫外線硬化型インキをパターン印刷することにより下刷り層１３を形成する。パターン印刷はオフセット印刷法またはフレキソ印刷法が好ましく、オフセット印刷法がより好ましい。パターン印刷は万線で形成されることが好ましく、万線で形成された下刷り層１３はその上に塗布される表面層を形成するコート剤をはじく性質を備えている。パターンは図３に示すようにＤＮＰの形状となるように万線からなる潜像部３４が形成され、潜像部３４の周辺に万線からなる周辺部３６が形成されている。万線からなる潜像部３４及び周辺部３６の詳細は前述の賦形シート１０で示した通りであり省略する。パターン印刷された下刷り層１３は紫外線照射され、硬化される。その後、シート基材１１及び下刷り層１３の上にフレキソ印刷法により紫外線硬化型のコート剤を塗布する。そのとき、下刷り層１３はコート剤をはじき、下刷り層１３の上には微細凹凸模様が形成され、下刷り層１３が形成されていない部分は平坦であり、その後、紫外線照射され、コート剤が硬化され、表面層１４が形成される。このようにして紫外線照射により硬化された下刷り層１３及び表面層１４は、下刷り層１３の上に微細凹凸部３２が形成され、下刷り層１３が形成されていない部分は表面層１４により表面が艶部３１に形成され、担持層１２を構成している。下刷り層１３をオフセット印刷法により形成するとき、インラインで表面層１４のコート剤をフレキソ印刷法で塗布することが好ましい。そうすることにより賦形シート１０の意匠性の評価が即断でき品質管理が容易となる。
【００２６】
また、下刷り層１３及び表面層１４は既存の紫外線照射装置を搭載したオフセット印刷機械に紫外線照射装置を備えたコーターを接続した製造装置を用いることによりインラインで製造することができる。表面層１４の形成にフレキソ印刷法を用いることにより艶部３１と微細凹凸部３２の深さ感が得られ、賦形シート１０の表面形状をカード本体２１の表出面に転写したとき、意匠性の際立った賦形カード２０が得られる。下刷り層１３に使用する下刷り用インキは、紫外線硬化型ニスが好ましい。また、表面層１４のコート剤とのはじき具合を調整するために下刷り用インキには公知の撥液剤を含有させてもよい。表面層１４のコート剤としては、紫外線硬化型コート剤が好ましい。コート剤としては、少なくともポリマー、モノマー、光重合開始剤を混合した公知の材料が使用できる。
【００２７】
（２）賦形カードの作製
賦形カード２０のオーバーシート層２１ｂの表面に賦形層２２を形成する方法は、図５に示すようにコア層２１ａの両面に、オーバーシート層２１ｂをそれぞれ重ね、賦形層２２を形成する側のオーバーシート層２１ｂの上の所定位置に対応させて賦形シート１０のシート基材１１に形成された万線からなる艶部３１及び微細凹凸部３２を備えた担持層１２が接するように賦形シート１０を重ね合わせて熱プレスすることにより、賦形シート１０の担持層１２の表面形状がカード本体２１のオーバーシート層２１ｂの表出面に熱転写され、賦形層２２が形成されると共にオーバーシート層２１ｂ／コア層２１ａ／オーバーシート層２１ｂが積層され、図５に示すようにカード本体２１の上に艶部４１（図２参照）と微細凹凸部４２（図２参照）からなる賦形層２２（図２参照）を備えた賦形カード２０が得られる。熱プレスにより賦形層２２を形成する際、温度としては８０〜１５０℃程度である。温度が１５０℃を超えて高くなると基材が歪む可能性があり、温度が８０℃未満では微細凹凸４２の形成が困難となり、オーバーシート２１ｂとコア層２１ａ間の接着が弱くなる。
なお、カード本体２１は予めオーバーシート層２１ｂ／コア層２１ａ／オーバーシート層２１ｂに積層した後に熱転写して一方のオーバーシート層２１ｂに賦形層２２を形成してもよいが熱転写と積層を同時に行う方が生産効率がよい。また、オーバーシート層２１ｂの片面に印刷を施す場合、印刷した面がコア層２１ａに対向させ積層する。
【００２８】
このようにして得られた賦形カード２０は、一見しただけでは潜像部４４の潜像を視認することは困難であるが、目視角度を変化させると潜像部４４の潜像が浮かび上がる角度があり視認することができる。さらにカラーコピー機等で複写しても潜像が複写されることがない。したがって、本発明の賦形カード２０は、意匠性に優れ、潜像の視認性に優れ、偽造防止及び不正コピー防止に優れたものとなる。また、従来のようにエンボス金型に替えて賦形シート１０を型にしてエンボスができるので賦形シート１０の担持層１２の変更が容易になり、また型代のコストダンが図れる。
【００２９】
つぎに、本発明について実施例を挙げて更に詳述する。
【実施例】
【００３０】
シート基材１１に厚さ１８８μｍの二軸延伸ポリエステルフィルムを用いて、紫外線照射装置を搭載した６色オフセット枚葉印刷機械に接続された紫外線照射装置を搭載したインラインコーターにより、賦形シート１０をインラインで一貫製造した。下刷りニス、及び表面層のコート剤には下記の紫外線硬化型材料を使用し、下刷り層１３をオフセット印刷して形成し、さらに表面層１４のコート剤をフレキソ印刷して塗布し、下刷り層１３及び表面層１４を硬化させ担持層１２を形成した。
得られた賦形シート１０を用いてカード本体２１の表出面に賦形シート１０の担持層１２の表面形状を温度１２０℃で熱プレスすることにより転写し、カード本体２１の表出面に微細凹凸からなる賦形層２２を形成し、賦形カード２０を作製した。なお、カード本体２１は、厚さ８０μｍのポリ塩化ビニルを２枚重ねしてコア層２１ａとし、その両面にオーバーシート層２１ｂとして厚さ１００μｍのポリ塩化ビニルを用い、３層構成とした。
得られた賦形カード２０について目視検査で潜像視認性と、カラーコピー機でコピーを行い、複写性を下記の基準で評価した。結果を表１に示す。
【００３１】
［潜像視認性評価基準］
◎：見る角度を変化させると鮮明に視認できる角度があった。
○：見る角度を変化させると視認できる角度があった。
△：見る角度を変化させると視認可能な角度があった。
×：見る角度を変化させても視認困難であった。
××：見る角度を殆ど変化させることなく、潜像が視認できた。または視認文字が鮮明でない。
【００３２】
［複写性評価基準］
○：潜像が複写されなかった。
×：潜像が複写された。
【００３３】
実施例１〜実施例１３、比較例１〜１２は第一の万線及び第二の万線の艶部からなる線の幅、第一の万線及び第二の万線の艶消し部からなる線の幅を表１に示すように変えて担持層１２を形成し図３に示す賦形シート１０を作製した。賦形シート１０以外のカード本体２１及び転写条件等は同じとした。なお、賦形シート１０において、第一の万線の傾き角度αは１３５°、第二の万線の傾き角度βは４５°とし、第一の万線と第二の万線が成す挟角γは９０°とした。
下刷りニス：ＵＶ  ＨＪＫ下刷りニス（株式会社Ｔ＆Ｋ  ＴＯＫＡ）
表面コート剤：ＵＶ  コートニス  ＨＴＡ−Ｗ
【００３４】
【表１】
2019084719.tif 000003
【００３５】
表１に示すように実施例１〜１３は潜像視認性、複写性の両方とも良好であった。比較例１〜１２は、複写性は良好であったが、潜像視認性はいずれも劣るものであった。また、潜像部４４の第一の万線の艶部からなる線の幅ｗ１、第一の万線の微細凹凸部からなる線の幅ｗ２のいずれかが０．４ｍｍ以上になると見る角度を殆ど変化させることなく、潜像が視認でき、偽造防止の効果が少ないものであった。
【００３６】
なお、今まで説明してきた実施形態は、本発明に係る賦形カード及び賦形カードの製造方法の一実施形態を挙げたものであって、本発明に係る賦形カード及び賦形カードの製造方法はこれに限定されるものではなく、本発明の趣旨を逸脱しない範疇のものは、すべて本発明に含まれるものである。
【符号の説明】
【００３７】
１０                      賦形シート
１１                      シート基材
１２                      担持層
１３                      下刷り層
１４                      表面層
２０                      賦形カード
２１                      カード本体
２１ａ                    コア層
２１ｂ                    オーバーシート層
２２                      賦形層
３１、４１                艶部
３２、４２                微細凹凸部
３３、４３                第一の万線
３４、４４                潜像部
３５、４５                第二の万線
３６、４６                周辺部
α                        第一の万線の傾き角度
β                        第二の万線の傾き角度
γ                        第一の万線と第二の万線が成す挟角
ｗ１                      第一の万線の艶部からなる線の幅
ｗ２                      第一の万線の微細凹凸部からなる線の幅
ｗ３                      第二の万線の艶部からなる線の幅
ｗ４                      第二の万線の微細凹凸部からなる線の幅
【図１】
2019084719.tif 000004
【図２】
2019084719.tif 000005
【図３】
2019084719.tif 000006
【図４】
2019084719.tif 000007
【図５】
2019084719.tif 000008